(57)【要約】【課題】通信局内の設備選定を高速化し、在庫管理を効率化する。【解決手段】まず、集計対象となるルート（４００，４０１，４０２）およびサービス（４０３）を特定することにより、在庫管理する対象を明確にし、次に、対象となるルート間で必要なサービスでの仮選定を実施することで、開通可能設備量を算出し（４０４）、在庫量として定義することで、設備管理者にとって在庫管理を明確化する（保存４０５）。選定処理を実施する前に既に空き設備を把握しておくことで、開通可能の可否について瞬時に判断できるようにする。これにより、オペレータは必要な在庫情報を開通可能設備量としてカウントすることが可能となり、在庫管理の時間短縮を実現する。【選択図】  図４
2005148966.tif 000002
【特許請求の範囲】
【請求項１】
各種情報を入力または出力するための入出力装置と、
入力または出力する情報のインターフェイスとして作用する入出力の管理を行う入出力インターフェイス手段と、
前記入力または出力する情報を装置内に入力する入力手段と、
在庫集計に必要な情報が既に入力されているか否かを確認処理するコマンド処理手段と、
在庫量の集計処理を行う対象ルートおよびサービスを決定する集計対象決定手段と、
申込者と通信装置までの通信設備の情報を記憶し、管理する通信媒体基本情報記憶手段と、
前記通信媒体基本情報および前記集計対象を利用して在庫量を決定する在庫量集計手段と、
前記在庫量集計手段および前記通信媒体基本情報記憶手段と連携し、前記各手段を制御する制御手段と、
決定した在庫量を情報として記憶し、管理する在庫情報記憶手段と、
最終的な集計結果を出力する出力手段とを有することを特徴とする媒体在庫管理装置。
【請求項２】
前記集計対象決定手段は、在庫量を集計するための集計対象区間となる情報を取得する入力手段と、ルートを構成する通信局内における光ファイバを集約し、配線する各ノードのうち、所外側のノードを決定する所外側ノード決定手段と、所内側のノードを決定する所内側ノード決定手段と、所外側ノードおよび所内側ノード間を中継する中継ノード決定手段と、上記各手段により決定した集計対象区間において、どのサービスにおいて在庫を集計するのかを特定するサービスタイプ決定手段と、前記各手段により決定された結果を記憶する記憶手段とを有することを特徴とする請求項１記載の媒体在庫管理装置。
【請求項３】
前記在庫量集計手段は、在庫量集計を実施するために必要な情報を取得する入力手段と、
前記集計対象決定手段により事前に決定付けられたルートにおける設備情報を通信媒体基本情報記憶手段から取得する設備情報取得手段と、前記集計対象決定手段により決定したサービスでのルート間におけるサービス別に仮想的に選定を実施する仮想選定処理手段と、実施した選定処理の中で在庫の払い出しが可能であった設備情報を決定する在庫設備決定手段と、区間内での在庫量を集計する在庫量集計処理手段と、前記各手段により決定された結果を記憶する記憶手段とを有することを特徴とする請求項１記載の媒体在庫管理装置。
【請求項４】
通信局内における媒体在庫管理装置による在庫管理方法であって、
通信局内における光ファイバを集約し、配線するノードの一つである所外側のノードを決定する所外側ノード決定ステップと、
所内側のノードを決定する所内側ノード決定ステップと、
ルートを中継するノードを決定する中継ノード決定ステップと、
特定のサービスにおける在庫量を集計するためのサービスを決定するサービスタイプ決定ステップと、
前記所外側ノードおよび所内側ノードと中継するノードを結ぶルートにおいて、特定のサービスで選定が成功する量を在庫量とし、集計する在庫量集計のステップと、
特定した在庫量を保存し、かつ蓄積する在庫情報保存のステップとを有し、通信局内における媒体在庫管理を実施することを特徴とする媒体在庫管理方法。
【請求項５】
請求項４記載の媒体在庫管理方法において、
前記在庫量集計のステップは、在庫量を集計するに当たり、サービスが直収方式の場合には、通信局内における光ファイバを集約かつ配線するノードの一つである所内側ノードにおいて接続済みの端子を取得する所内側ノード内の接続済み端子取得のステップと、
取得した端子が無かった場合には、所内側ノード端子と接続が可能な所内側ノードに向かって敷設されている所内ケーブル心線を検索するステップと、
上記の空き心線が取得不可であった場合には、処理終了とするステップと、
所内側ノード内の接続済み端子か、所内側ノードへ敷設可能な所内ケーブル内の空き心線コネクタが取得可能な場合には、次に所外側ノード端子を検索するステップと、
所外側ノードが搭載している全端子数分接続がなされており、該当する所外側ノード内には端子を取得することができない場合には、空き無しとする処理終了のステップと、
所外側ノード内にて取得可能な端子である空き端子が存在する場合には、次に指定サービスにおけるルートにおいて仮想的に選定を実施する仮選定を実施し、選定を実施するステップと、
仮選定が成功した場合には、成功した選定ルートを在庫として定義する成功ルートを在庫として定義するステップと、
在庫として定義されていない在庫未定義の次候補を検索するステップを経由して、次の所内側ノード内の接続済み端子を取得するステップと、
仮選定が失敗した場合には、選定回数をカウントし、全ての所内側ノード内の接続済み端子と空き心線コネクタ数分を仮選定した場合には、仮選定を終了とし、在庫情報を保存する在庫情報保存のステップと、
未だ仮選定する端子もしくは空き心線コネクタが存在する場合には、再度次候補を検索するステップとを有し、通信局内における媒体在庫管理を実施することを特徴とする媒体在庫管理方法。
【請求項６】
請求項４記載の媒体在庫管理方法において、
前記在庫量集計のステップは、在庫量を集計するに当たり、サービスが多分岐方式の場合には、サービス条件に適合するルート内の分岐機器の総数および分岐機器の１つの入力ポートに対する出力ポート数を取得するステップと、
通信局内における光ファイバを集約し、かつ配線するノードの一つである所内側ノードにおいて接続済みの端子を取得するステップと、
取得した端子が無かった場合には、所内側ノード端子と接続が可能な所内ケーブル心線を検索するステップと、
上記の空き心線が取得不可であった場合には、処理終了とするステップと、
所内側ノード内の接続済み端子か、所内側ノードへ敷設可能な所内ケーブル内の空き心線コネクタが取得可能な場合には、次に所外側のノード端子を検索するステップと、
所外側ノードに搭載されている全端子数分接続がなされており、該当する所外側ノード内には端子を取得することができない場合には、空き無しとする処理終了のステップと、
所外側ノード内にて取得可能な端子である空き端子が存在する場合には、次に指定サービスにおけるルートにおいて仮想的に選定を実施する仮選定を実施する指定サービスタイプで仮選定実施のステップと、
仮選定が成功した場合には、成功した選定ルートを在庫として定義するステップと、
仮選定において選定された分岐機器内の出力端子に仮選定実施済みのフラグを立てるステップと、
前記分岐機器内において仮選定実施済みフラグの総数を算出するステップと、
算出した仮選定実施数と分岐機器内の出力端子数を比較し、未だ仮選定未実施の出力端子が存在するのであれば、再度仮選定を実施するステップと、
該当する分岐機器内の全ての出力端子において仮選定を実施した場合には、次の所内側ノード内の接続済み端子を取得するステップと、
仮選定が失敗した場合において、仮選定を実施した総数を取得し、該総数が分岐機器の総数と、サービス条件に対応した分岐機器において一つ入力端子に対して存在する出力端子数との積値と同じである場合には、処理フローを終了し、在庫情報を保存するステップと、
未満である場合には、仮選定が失敗した該当する分岐機器内の出力端子を仮選定実施済みとしてフラグを立てるステップとを有し、通信局内における媒体在庫管理を実施することを特徴とする媒体在庫管理方法。
【請求項７】
請求項５または６記載の媒体在庫管理方法において、
前記成功ルートを在庫として定義するステップは、ルートにおいて仮想的に選定を実施する仮選定に成功したルートを取得する成功ルート取得のステップと、
成功したルートの所内側ノード内の端子との接続関係を確認するステップと、
上記確認ステップを踏まえ、所内側ノード端子が未接続であった場合においては、所内側ノード未接続ルートとして保存するステップと、
所内側ノード端子が接続済みであった場合においては、所内側ノード接続済みルートとして保存するステップと、
最終的に在庫の定義を完了する在庫定義完了ステップとを有し、通信局内における媒体在庫管理を実施することを特徴とする媒体在庫管理方法。
【請求項８】
通信局内における媒体在庫管理装置による在庫管理用プログラムであって、
媒体在庫管理装置のコンピュータに、通信局内における光ファイバを集約し、配線するノードの一つである所外側のノードを決定する所外側ノード決定手順、所内側のノードを決定する所内側ノード決定手順、ルートを中継するノードを決定する中継ノード決定手順、特定のサービスにおける在庫量を集計するためのサービスを決定するサービスタイプ決定手順、前記所外側ノードおよび所内側ノードと中継するノードを結ぶルートにおいて、特定のサービスで選定が成功する量を在庫量とし、集計する在庫量集計の手順、特定した在庫量を保存し、かつ蓄積する在庫情報保存の手順を、それぞれ実施するための媒体在庫管理用プログラム。
【請求項９】
請求項８記載の媒体在庫管理用プログラムにおいて、
前記在庫量集計の手順は、在庫量を集計するに当たり、サービスが直収方式の場合には、通信局内における光ファイバを集約かつ配線するノードの一つである所内側ノードにおいて接続済みの端子を取得する所内側ノード内の接続済み端子取得の手順、取得した端子が無かった場合には、所内側ノード端子と接続が可能な所内側ノードに向かって敷設されている所内ケーブル心線を検索する手順、上記の空き心線が取得不可であった場合には、処理終了とする手順、所内側ノード内の接続済み端子か、所内側ノードへ敷設可能な所内ケーブル内の空き心線コネクタが取得可能な場合には、次に所外側ノード端子を検索する手順、所外側ノードが搭載している全端子数分接続がなされており、該当する所外側ノード内には端子を取得することができない場合には、空き無しとする処理終了の手順、所外側ノード内にて取得可能な端子である空き端子が存在する場合には、次に指定サービスにおけるルートにおいて仮想的に選定を実施する仮選定を実施し、選定を実施する手順、仮選定が成功した場合には、成功した選定ルートを在庫として定義する成功ルートを在庫として定義する手順、在庫として定義されていない在庫未定義の次候補を検索する手順を経由して、次の所内側ノード内の接続済み端子を取得する手順、仮選定が失敗した場合には、選定回数をカウントし、全ての所内側ノード内の接続済み端子と空き心線コネクタ数分を仮選定した場合には、仮選定を終了とし、在庫情報を保存する在庫情報保存の手順、未だ仮選定する端子もしくは空き心線コネクタが存在する場合には、再度次候補を検索する手順であることを特徴とする媒体在庫管理用プログラム。
【請求項１０】
請求項８記載の媒体在庫管理用プログラムにおいて、
前記在庫量集計の手順は、在庫量を集計するに当たり、サービスが多分岐方式の場合には、サービス条件に適合するルート内の分岐機器の総数および分岐機器の１つの入力ポートに対する出力ポート数を取得する手順、通信局内における光ファイバを集約し、かつ配線するノードの一つである所内側ノードにおいて接続済みの端子を取得する手順、取得した端子が無かった場合には、所内側ノード端子と接続が可能な所内ケーブル心線を検索する手順、上記の空き心線が取得不可であった場合には、処理終了とする手順、所内側ノード内の接続済み端子か、所内側ノードへ敷設可能な所内ケーブル内の空き心線コネクタが取得可能な場合には、次に所外側のノード端子を検索する手順、所外側ノードに搭載されている全端子数分接続がなされており、該当する所外側ノード内には端子を取得することができない場合には、空き無しとする処理終了の手順、所外側ノード内にて取得可能な端子である空き端子が存在する場合には、次に指定サービスにおけるルートにおいて仮想的に選定を実施する仮選定を実施する指定サービスタイプで仮選定実施の手順、仮選定が成功した場合には、成功した選定ルートを在庫として定義する手順、仮選定において選定された分岐機器内の出力端子に仮選定実施済みのフラグを立てる手順、前記分岐機器内において仮選定実施済みフラグの総数を算出する手順、算出した仮選定実施数と分岐機器内の出力端子数を比較し、未だ仮選定未実施の出力端子が存在するのであれば、再度仮選定を実施する手順、該当する分岐機器内の全ての出力端子において仮選定を実施した場合には、次の所内側ノード内の接続済み端子を取得する手順、仮選定が失敗した場合において、仮選定を実施した総数を取得し、該総数が分岐機器の総数と、サービス条件に対応した分岐機器において一つ入力端子に対して存在する出力端子数との積値と同じである場合には、処理フローを終了し、在庫情報を保存する手順、未満である場合には、仮選定が失敗した該当する分岐機器内の出力端子を仮選定実施済みとしてフラグを立てる手順であることを特徴とする媒体在庫管理用プログラム。
【請求項１１】
請求項９または１０記載の媒体在庫管理用プログラムにおいて、
前記成功ルートを在庫として定義する手順は、ルートにおいて仮想的に選定を実施する仮選定に成功したルートを取得する成功ルート取得の手順、成功したルートの所内側ノード内の端子との接続関係を確認する手順、上記確認ステップを踏まえ、所内側ノード端子が未接続であった場合においては、所内側ノード未接続ルートとして保存する手順、所内側ノード端子が接続済みであった場合においては、所内側ノード接続済みルートとして保存する手順、最終的に在庫の定義を完了する在庫定義完了手順であることを特徴とする媒体在庫管理用プログラム。
【請求項１２】
請求項８から請求項１１までのいずれかに記載の媒体在庫管理用プログラムを記録したことを特徴とするコンピュータ読み取り可能な記録媒体。
【発明の詳細な説明】
【技術分野】
【０００１】
本発明は、商用目的で使用する通信局内の媒体在庫管理技術に関し、特に敷設様れた媒体を管理する媒体在庫管理装置および媒体在庫管理方法、ならびに媒体在庫管理処理を実施するための処理プログラムと、そのプログラムを記録したコンピュータ読み取り可能な記録媒体に関する。
【背景技術】
【０００２】
従来技術の前に、本発明が対象とする通信局内における媒体在庫管理を実施する上での特色について説明する。
（通信局内における通信媒体のサービス特性について）
図７は、通信サービスの種類を示す説明図である。
通信局内の場合には、主にサービス種別として、２つのパターンが存在する。
サービス種別の一つとして、図７の上段に示す直収方式というサービスがあり、始点（顧客側）から終点（所内装置側）までの間は常に１対１の関係が維持され、一つの始点に対して必ず終点が一つ存在すると言う形態をとる。この場合には、通信局内の通信媒体は常に他の加入者によって占有されていない心線・端子などの媒体が選定される。
次に、サービス種別の一つとして、図７の下段に示す多分岐方式というサービスがあり、始点（顧客側）から終点（所内装置側）までの間が、ｎ対１の関係が成立する。これは終点である装置側から発せられる光信号を途中に分岐装置（以下、分岐機器）まで一本のファイバーを複数の加入者で共有する形式であるため、分岐機器までは１つの心線・端子であり、分岐機器以降は、複数の心線・端子にてサービスが提供される。このサービスの特色として、１加入者目の選定の場合には、直収サービス同様に、通信局内の通信媒体は常に他の加入者によって占有されていない空き心線・端子などの媒体が選定対象とされる。
しかし、２加入者目の同一サービスでの選定の場合には、装置から分岐機器までの心線・端子は全て占有状態（接続済み）であり、分岐機器において出力側に空き端子が存在すれば開通可能となる。
【０００３】
（在庫管理の必要性）
通信局内における在庫の払い出しとは、サービス利用者と通信局を結ぶ所外側ノードの端子と、実際にサービスを提供する通信装置（所内側ノード）間での配線を選定する行為を言う。この場合、通信局内における在庫設備とは配線またはノード内の端子を指し、サービス開通のためには、それらの在庫設備を効率的に選定して、接続を実施することで、在庫の払い出しが行われる。その際に、選定処理を行う上において、下記の２点の理由から、在庫管理の必要性があることが分かる。
まず、一つ目として、設備選定を実施するためには、通信局内の通信媒体群における任意の２点間端子の経路（ケーブルとケーブルラックまたは所内装置の繋がり）を探索する上に、その経路を形成する心線、アダプタ端子、多分岐・波長多重アダプタ端子まで探索する必要がある。また、また、通信局内の通信媒体群における任意の２点間端子の経路を選定するには、サービス提供条件、設備条件、通信媒体の構成品の使用状況および状態、損失（接続点）／接続作業点数を考慮した経路を選定しなければならない。ここで、サービス提供条件とは、通信方式および光分岐数、通信波長、試験波長、コネクタ反射特性（光学的特性）、光伝波モード、必要媒体数、使用予定日／廃止予定日である。
【０００４】
設備条件とは、ケーブル心線に取り付けられているコネクタとアダプタ端子の形状であり、両者の形状が同じでなければ接続できない。通信媒体の構成品の使用状況とは、サービスを提供する際には、各通信媒体の空き設備（サービスに使用されていない設備）を使用するため、通信媒体がどのくらい空き設備状態であるか、ということを、ここでは使用状況としている。通信媒体の構成品の状態とは、各通信媒体がサービスに使用できるかを判断するものであり、その状態には『良設備（使用中）で予約済み』があり、サービス提供時の通信媒体に選定をする際には、『良設備で空き設備』を選定し、『良設備（空き）で予約済み』へ変更後、サービス提供開始後、『良設備で使用中』へ変更する。また、サービス廃止時の選定する際には、『良設備で使用中』を『良設備（使用中）で予約済み』へ変更し、サービス廃止後、『良設備で空き設備』へ変更する。通信媒体群は２点間端子の経路を構成する際に、通信媒体同士をコネクタ等で接続しなければならない。そのため、２点間に接続点が多いほど通信の損失が大きくなり、その接続点においては、接続作業が発生することから、通信媒体の経路を構成する際には、接続点が少ないほど品質が良く、作業性が良いことになる。
【０００５】
そのため、通信局内の設備選定の場合には、上述したサービス提供条件、設備条件、通信媒体の構成品の使用状況および状態、損失（接続点）／接続作業点数を考慮した経路の選定を実施しようとするには、心線ルートのパターンが無数に存在する。特に、昨今の技術進歩に伴い提供サービス形態（直収、多分岐・波長多重等）も複雑化し、１加入者目か２加入者目かで更に選定方針が変わるため、全ての条件を網羅した設備選定を実施するためには、莫大な稼動を要する。従って、通信局内における選定を実施する上での特色としては、任意の２点間端子の経路を選定する通信媒体選定手法に加え、多分岐サービスや波長多重系サービスを加味した選定を効率的に実施する必要があることを意味している。
このように、任意の２点間の選定処理を実施するためには、選定の都度、ルートの在庫設備状況を確認する多くの処理を実施して、最適な選定ルートを選定する必要があり、その処理量は選定回数に比例して増大する。また、選定の都度、所内配線設備の使用状態は変化するため、作業者によって事前に在庫状況を管理し、ルートでの在庫量を把握するには多く時間を要する必要があった。
【０００６】
次に二つ目として、サービスの廃止（利用停止）に伴い、現用（サービス提供中）設備から非現用設備になった場合には、ルート内の接続箇所を全て開放するよりは、次の需要に備えて、一定の接続箇所を開放することで運用効率を向上することも可能である。また、全ての配線・端子を未接続状態にしておくことよりは、特定の端子および配線を接続済みにしておくことで、実際にサービス開通工事が発生した場合に効率的に施工を実施することが可能となる。
このように、通信局内において迅速な設備選定を実施するためには、開放作業を必要とする開通作業は、作業を高速化する上での問題があるために実施すべきではなく、単純に接続するだけで利用できる設備を用いて開通することが求められており、そのような設備の設備量を把握する必要がある。
【０００７】
（通信局内における媒体在庫管理を実施する上での特色）
図８および図９は、所内配線設備における在庫量の特徴(1),(2)を示す説明図である。
通信局内における媒体在庫管理を実施する上において、特色を以下に挙げる。
一つ目としては、非現用設備が必ずしも在庫として認識することができないということである。通信局内の設備は、その接続工事の効率を向上させる場合や、所外側ノードに一定の需要が見込まれている場合等に、光ケーブルのコネクタを数箇所接続済みとし、特定の所外側ノードや中継ノードまでの接続を事前に実施しておくことで、工事効率を向上することが可能となる。一例を示して説明すると、図８に示すように、所外側ノードが２つ（(1)(2)）所在し、所内側ノードと中継ノードがそれぞれ一つずつ存在したものとする。
所外側ノード(1)と中継ノードを結ぶケーブルをケーブル１とし、中継ノード側の全心線のうち、２心線は中継ノード内の端子と接続済みであるとする。次に、所外側ノード(2)と中継ノードを結ぶケーブルをケーブル２とし、全心線のうち１心線は中継ノード内の端子と接続済みであるとする。一方、中継ノードと所内側ノードを結ぶケーブルをケーブル３とし、そのうちの３心線は両端接続済みの状態であり、中継ノード側に接続されている端子の背面にはケーブル１もしくはケーブル２の心線とは接続済みの状態であり、所内側ノード側に接続されている端子は所内側ノードが保有する空き端子全てである。
【０００８】
このような設備形態では、未だサービスが開通されておらず、名目上は全ての設備が非現用である。このため、存在する全ての設備は在庫設備として利用されるべきであり、ケーブル３の在庫心線量は３心線分であることが分かる。しかし、実際に、所外側ノード(2)と所内側ノードを結ぶ需要が発生した場合には、開通可能な需要数は１回線だけである。
これは、ケーブル３に存在する在庫心線のうち２心線分の在庫心線は、既に所外側ノード(1)の方へと接続済みのために発生している。これは、作業者はケーブル３に在庫心線が３心線分あり、ケーブル２においても在庫心線が２心線分あったとしても、その接続状況次第では最大２心線分の需要を開通可能と判断することはできないことを意味している。
このように、現用・非現用の管理だけでは、的確な在庫量というのを示すことは困難であり、作業者は常にその接続状態を加味した上での在庫量の管理が必要となる、という特色がある。
【０００９】
特色の二つ目としては、多段に分岐機器が設置されている場合などの在庫量把握に稼動がかかるという点である。
図９に示すように、多分岐方式によるサービスの場合、複数の中継ノードに分岐機器が設置されている場合も想定される。このような場合、所内側ノード(1)と所外側ノード(1)の区間での在庫量は、ケーブル１やケーブル４の在庫量だけでは判断できない。該当する多分岐方式のサービスを提供可能な分岐機器が他の中継ノードに設置されているか否かを確認した上で、分岐機器の出力側からの空き設備量を把握し、更に下部側のケーブル在庫量を把握する必要があり、かつその在庫量とは、上記同様に接続状態次第では開通可能な在庫設備とは定義できないという特色も存在する。
【００１０】
（従来技術１）
配線識別符号と収容箇所識別符号とを互いに関連づけて未使用配線の端部の収容箇所に関する情報を格納することで、あるノード間内における未使用心線を管理できることから、未使用心線のみの在庫把握が可能であった。しかしながら、実際には、ある特定の区間の在庫のみが把握可能であることから、所外側端点(成端架)と所内側端点(所内装置)での広域的な使用状況は管理されていなかった。これは、指定区間内で未使用心線であっても、次区間においては接続済み心線であることから、在庫数的には未使用心線は無となる可能性もあることを意味している。このことから、所内配線の在庫量の把握が広域的になされておらず、真の現用心線・非現用心線の特定管理がなされていなかった。従って、在庫減少による判定も区間毎の未使用設備の絶対量が手動設定された閾値を超過したもののみのものであって、在庫量の正確な判断が広域的かつ時間軸的に把握困難なことから、正確な使用率の確定がなされておらず、中長期的な需要予測に必要な在庫数を把握するためには、手動によりデータを確認しなくてはならないため、莫大な稼働を費す必要があった。
なお、用語の定義として、ルートとは、特定の所外側ノードおよび所内側ノード間を結ぶルートを言う。また、区間とは、特定のノードとノードの間を言う。
【００１１】
（従来技術２）
通信局内における配線管理の一手法については、例えば、特開平１０−２２４３５１号公報に記載の『ネットワーク管理支援装置およびネットワーク管理方法、ならびにそれに用いるプログラムを記憶した記憶媒体』（特許文献１参照）がある。これは、ネットワーク上の電文を取得することで、該当するネットワークの構成管理を実現する手法を提案するものである。
上記システムは、電文から各ノード間の伝送路情報を取得することで、ネットワークの構成管理を実現することを特徴とするものであって、これらの条件を通信局内の配線管理に適用することで配線の構成情報が分ることから、応用が可能ではあるが、ネットワーク上の現用・非現用を含めた構成管理の情報を取得しただけでは在庫として認識できない点が加味されていない。すなわち、通信局内では、その接続状態によっては、特定の所外側ノードおよび所内側ノードのルート間でのみ在庫ということが考えられる。そのため、既存の技術では、伝送路の構成のみを管理することを目的としているため、特定のルートにおいて潤沢な在庫であるが、他のルートにとっては在庫でないという点が加味されていない。
【００１２】
（従来技術３）
通信局内における配線管理の一手法として、例えば特開２０００−２０９２０１号公報に記載の『ネットワーク管理方法およびネットワーク管理システム』（特許文献２参照）がある。これは、ネットワークの論理情報または物理的な構成情報をビューにより表示し、異なるマルチベンダ機器を介したネットワークであったとしても効率的な管理が可能になるネットワークの構成管理を実現する手法である。
上記システムは、物理ネットワークおよび論理ネットワークの情報をビューとして表示し、それをサービス毎に管理するネットワークの構成管理を実現することを特徴としており、これらの条件を通信局内の配線管理に適用することで配線の構成情報が分かることから、応用が可能ではあるが、ネットワーク上の論理的または物理的な構成管理の情報を取得しただけでは在庫として認識できない点が加味されていない。すなわち、通信局内では、その接続（コネクション）状態によっては特定の所外側ノードおよび所内側ノードのルート間でのみ開通可能な在庫ということが考えられる。そのため、既存の技術では伝送路は事前に接続（コネクション）がなされているというような特徴が加味されていない。
【００１３】
また、上記システムは、多分岐方式の時の在庫管理手法について加味されていない。通信サービスの一つとして、多分岐方式などのような１つの心線を分岐機器等を利用することで複数に分岐することを特徴とするサービスが存在し、通信装置から分岐機器までの区間は現用設備であるが、分岐機器の出力側の未使用端子からは在庫設備になるなどの特徴がある。そのため、始点から特定のノードまでは現用として使用中の設備（伝送経路）であるが、特定のノード以降から分岐し、分岐した出力側には現用回線もあれば非現用回線も存在するという点が、加味されていない。
【００１４】
（従来の技術４）
通信局内における配線管理の一手法として、例えば特開２０００−６９１０６号公報に記載の『配線管理システム及び配線管理方法』（特許文献３参照）がある。これは、受動的構成品である光ファイバ等に識別情報を付与することで、ネットワークの物理的な情報を管理することを可能にする手法である。
上記システムは、識別情報を通信局内に至る設備（光ファイバ・ノード等）に付与し、設備情報をＤＢ化することで、電子的な情報管理を実現することを目的としている。これらの条件や手法を通信局内の配線管理に適用することで配線の構成情報や接続情報が分かることから、応用が可能ではあるが、物理的な接続情報だけを作業者が取得しただけでは、在庫情報を集計する稼働が膨大である点について加味されていない。そのため、既存の技術では、ルート間（所外側ノードおよび所内側ノード間）での在庫情報を管理するには、区間毎の接続情報を取得し、その情報を元にサービス毎にどれだけの需要が開通可能であるかを作業者が手動で管理する必要があり、その情報をリアルタイムに管理するには非常に膨大な稼働を要することになる。このように、膨大に存在する設備量や複数サービスを意識することなく、動的に在庫情報をリアルタイムに管理するという点が加味されていない。
【００１５】
【特許文献１】特開平１０−２２４３５１号公報
【特許文献２】特開２０００−２０９２０１号公報
【特許文献３】特開２０００−６９１０６号公報
【発明の開示】
【発明が解決しようとする課題】
【００１６】
以上のように、常に最適な設備選定を実施するためには、毎回膨大な在庫状況を探索する処理を実施する必要があるため、過大な時間を要していた。また、設備選定の都度、設備の使用状態が変化するため、その在庫量を事前に把握する作業量も膨大であり、多くの時間を要していた。さらには、通信局内における在庫の定義は、単に現用・非現用という解釈だけではなく、設備の接続状態も加味した上での定義が必要である。また、多段に渡って多分岐機器が設置された設備形態の場合には、各ノードに設置されている分岐機器の出力側の設備状況だけでなく、接続が発生する下部（所外側ノード）側の設備状況も確認した上での在庫量の算出が必要となる。このような特殊な要因を持つ通信局内における在庫管理は、作業者の手作業による処理に頼る部分が多く、日々の需要によって払い出される設備在庫の調整を実施し、迅速に在庫を補給するには多くの稼動を要していた。
上述のように、最適な設備選定を実施するためには、その都度、設備の在庫状況を把握して選定を実施するために、過大な時間を要していたという事実と、その在庫を事前に把握するにも多くの稼動を要するという事実から、在庫状況を把握するのに多くの時間と稼動を要していたことが分かる。
【００１７】
（目的）
本発明の目的は、オペレータにとって必要な在庫情報を開通可能設備量としてカウントすることができ、通信局内における設備選定を高速化し、かつ在庫管理を効率化することが可能な通信局内の媒体在庫管理装置および方法、ならびにそのプログラムと記録媒体を提供することにある。
【課題を解決するための手段】
【００１８】
本発明の媒体在庫管理方法は、オペレータによって事前に設定した所外側における配線を集約・終端するための架（ノード）と、所内側におけるノードもしくはサービスを提供する装置の任意の端点、および該当する端点の間に位置し、配線を集約・中継するための架である中継ノードの情報を利用して、ルート間でサービス別に仮に選定を実施する（以下、仮選定）ことで、選定可能な在庫設備量を選定成功回数として定義することが可能となり、指定した端点で取得した在庫量を保存・蓄積することで、設備選定に要する在庫量がどれくらいかを選定を実施する前に事前に把握しておくことにより、選定時には常にルートにおける在庫の有無が特定されていることから、ルートにおける膨大な選定処理を実施することなく、選定の成功可否について、迅速にオペレータへ表示・通達する。
【発明の効果】
【００１９】
本発明によれば、通信局内において管理対象となるルート・サービスを設定することで、オペレータにとって必要な在庫情報を開通可能設備量としてカウントすることが可能となり、在庫管理の効率化と時間短縮を可能にする。その結果、通信局内における設備選定を高速化し、かつ在庫管理を効率化することが可能になった。
【発明を実施するための最良の形態】
【００２０】
（媒体在庫管理装置のブロック構成）
図１は、本発明の一実施例を示す媒体在庫管理装置のブロック構成図である。
本実施例の媒体在庫管理装置は、オペレータからの各種情報を入力または出力する装置である入出力装置１０９と、入力または出力する情報のＩＦ（インターフェイス）となり、情報の入出力管理を行う入出力インターフェイス部１０８と、取得した情報を入力する入力部１０７と、必要な情報がオペレータにより入力されているか否かを確認処理するコマンド処理部１０５と、在庫量の集計処理する対象の決定を実施する集計対象決定部１０４と、申込者と通信装置までの通信設備の情報を記憶し、管理する通信媒体基本情報管理部１０１と、それらの通信媒体基本情報および前記集計対象を利用して在庫量を決定する在庫量集計部１０２と、在庫量集計部１０２と通信媒体基本情報記憶部１０１とを連携し、制御する制御部１００と、決定した在庫量を情報として記憶・管理する在庫情報記憶部１０３と、最終的な集計結果を出力する出力部１０６とから構成される。
【００２１】
図２は、図１における集計対象決定部のブロック構成図である。
集計対象決定部１０４は、在庫量を集計するための集計対象区間となる情報を取得する入力部２００と、ルートを構成する各ノードのうち、最所外側のノードを決定する所外側ノード決定部２０１と、最所内側のノードを決定する所内側ノード決定部２０２と、所外側ノードと所内側ノードとの間を中継する中継ノード決定部２０３と、決定した集計対象区間において、どのサービスにおいて在庫を集計するのかを特定するサービスタイプ決定部２０４と、それらの結果を記憶する記憶部２０５とを有する。
【００２２】
図３は、図１における在庫量集計部のブロック構成図である。
在庫量集計部１０２は、在庫量集計を実施するために必要な情報を取得する入力部３００と、集計対象決定部１０４において事前に決定付けられたルートにおける設備情報を通信媒体基本情報記憶部１０１から取得する設備情報取得部３０１と、ルートにおいて前記集計対象決定部１０４において決定したサービスでの仮選定処理部３０２と、実施した選定処理の中で在庫の払い出しが可能であった設備情報を決定する在庫設備決定部３０３と、区間内での在庫量を集計する在庫量集計処理部３０４と、それらの結果を記憶する記憶部３０５とを有する。
【００２３】
（媒体在庫管理手順）
図４は、本発明の一実施例を示す在庫量決定の処理フローチャートである。
通信局内の媒体在庫管理の手順として、所外側のノードを決定する所外側ノード決定のステップ４００と、所内側のノードを決定する所内側ノード決定のステップ４０１と、ルートを中継するノードを決定する中継ノード決定のステップ４０２と、特定のサービスにおける在庫量を集計するためのサービスを決定するサービスタイプ決定のステップ４０３と、前記所外側ノードおよび所内側ノードと中継するノードを結ぶルートにおいて特定のサービスで選定が成功する量を在庫量とし、集計する在庫量集計のステップ４０４と、特定した在庫量を保存かつ蓄積する在庫量保存のステップ４０５とを有する。
【００２４】
図５．１は、本発明の一実施例を示す在庫量集計（直収方式）の処理フローチャートである。
直収方式における在庫量集計の手順としては、在庫量を集計するに当たり、所内側ノードにおいて接続済みの端子（１，２，３，・・・ｉ）を取得する所内側ノード内の接続済み端子取得のステップ５０１と、取得した端子が無かった場合には、所内側ノード端子と接続が可能な所内側ノードに向かって敷設されている所内ケーブル心線（１，２，３，・・・ｊ）を検索する所内側ノード端子と接続可能な空き心線コネクタ取得のステップ５０２と、上記の空き心線が取得不可であった場合には、処理終了とするステップ５０４と、所内側ノード内の接続済み端子か所内側ノードへ敷設可能な所内ケーブル内の空き心線コネクタが取得可能な場合には、次に所外側のノード端子を検索する所外側ノード端子を任意に取得するステップ５０３と、所外側ノードが搭載している全端子数分接続がなされており、該当する所外側ノード内には端子を取得することができない場合は、空き無しとする処理終了のステップ５０４と、所外側ノード内にて取得可能な端子である空き端子が存在する場合には、次に指定サービスにおいて仮選定を実施する指定サービスタイプで仮選定実施のステップ５０５と、仮選定が成功した場合には、成功した選定ルートを在庫として定義する成功ルート定義ステップ５０６と、在庫として定義されていない在庫未定義の次候補を検索するステップ５０８を経由して、次の所内側ノード内の接続済み端子を取得するステップ５０１と、仮選定が失敗した場合には、選定回数（Ｓ）をカウントし（ステップ５０７）、全ての所内側ノード内の接続済み端子と空き異線コネクタ数分を仮選定した場合（Ｓ＝ｉ＋ｊ）は、仮選定を終了とし、在庫情報を保存する在庫情報保存のステップ５０９と、未だ仮選定する端子もしくは空き心線コネクタが存在する場合（ｉ＋ｊ＞Ｓ）には、再度次候補を検索するステップ５０８とを有している。
【００２５】
図５．２は、本発明の一実施例を示す在庫量集計（多分岐方式）の処理フローチャートである。
多分岐方式における在庫量集計の手順としては、在庫量を集計するに当たり、該当するサービスにおいて必要となる分岐機器がルート内にいくつ存在するかを集計し、かつ必要となる出力端子数（８分岐の場合には８端子）を取得するルート内の分岐機器数（Ｋ）および該当する分岐機器の出力ポート数（ｈ）を取得するステップ６００と、所内側ノードにおいて接続済みの端子（１，２，・・ｉ）を取得する所内側ノード内の接続済み端子取得のステップ６０１と、取得した端子が無かった場合には、所内側ノード端子と接続が可能な所内側ノードに向かって敷設されている所内ケーブル心線を検索する所内側ノード端子と接続可能な空き心線コネクタ取得のステップ６０２と、上記の空き心線が取得不可であった場合には、処理終了とするステップ６０４と、所内側ノード内の接続済端子か所内側ノードへ敷設可能な所内ケーブル内の空き心線コネクタが取得可能な場合には、次に所外側のノード端子を検索する所外側ノード端子を任意に取得するステップ６０３と、所外側ノードが搭載している全端子数分接続がなされており、該当する所外側ノード内には端子を取得することができない場合には、空き無しとする処理終了のステップ６０４とを有する。
【００２６】
さらに、所外側ノード内にて取得可能な端子である空き端子が存在する場合には、次に指定サービスにおいて仮選定を実施する指定サービスタイプで仮選定実施のステップ６０５と、仮選定が成功した場合には、成功した選定ルートを在庫として定義する成功ルートを在庫として定義するステップ６０６と、仮選定において選定された分岐機器内の出力端子に対して仮選定実施済みフラグを追加するステップ６１０と、同分岐機器内に存在する仮選定済実施フラグを集計し、分岐機器内の仮選定実施数（Ｐ）を算出するステップ６１１とを有し、Ｐ値が分岐機器が持つ出力端子数全ての場合（Ｐ＝ｈ）は、次の所内側ノード内の接続済み端子を取得するステップ６０１と、未だ仮選定を実施する出力端子が残っている場合（Ｐ＜ｈ）には、再度仮選定を同所内側ノード内および所外側ノード内の端子にて実施するステップ６０５と、仮選定が失敗した場合には、選定回数（Ｓ）をカウントし（ステップ６０７）、全ての分岐機器内の出力端子数（Ｋ×ｈ＝Ｓ）分選定した場合には、仮選定を終了とし、在庫情報を保存する在庫情報保存のステップ６０９と、未だ仮選定する出力端子が存在する場合（Ｋ×ｈ＞Ｓ）には、再度次候補を検索するステップとを有している。
【００２７】
図６は、本発明の一実施例を示す成功ルートを在庫として定義する処理フローチャートである。
成功ルートを在庫として定義する手順として、仮選定に成功したルートを取得する成功ルート取得のステップ７００と、成功したルートの所内側ノード内の端子との接続関係を確認する所内側ノード端子接続状況を確認するステップ７０１と、上記確認手順を踏まえ、所内側ノード端子が未接続であった場合においては、所内側ノード未接続ルートとして保存するステップ７０２と、所内側ノード端子が接続済みであった場合においては、所内側ノード接続済みルートとして保存するステップ７０３と、最終的に在庫の定義を完了する在庫定義完了ステップ７０４とを有している。
【００２８】
（在庫管理方法の手順）
図１０は、本発明における在庫の集計方法を示す説明図である。
(ｉ)集計対象テーブルの設定
在庫を管理する対象となるルートとサービスを設定するために、集計対象テーブルを以下の要領に沿って登録する必要がある。図１０の上段が在庫集計方法、下段がそれにより登録された集計対象テーブルである。
一意のルート名に対して、所外側ノードとなるノードを選択し、これに対する所内側ノードとなるノードを選択する。次に、両ノード間に存在する中継用ノードを入れる必要があれば投入し、不要であれば未投入とする。次に、設定したルート内において仮選定を実施するサービスタイプを投入する。主に、直収系や多分岐方式などのサービス種別毎に登録することが可能となる。
この時、所外側ノードと所内側ノード間の在庫量をより広義に管理するのであれば、中継用ノードを登録せずに所外側ノードおよび所内側ノードだけを投入することで、広義的に在庫を管理することが可能となる。逆に、中継ノードを細かく設定すればするほど管理する在庫量は狭義的になるが、的を絞った管理が可能となる。
図１０においては、ルート(1)に対しては、所外側ノードとして成端架(1)を、所内側ノードとして装置(1)を、中間ノード1として中間架(1)を、サービスタイプとして直収系を選択し、テーブルに登録している。また、ルート(2)に対しては、所外側ノードとして成端架(1)を、所内側ノードとして装置(1)を、中間ノード1として中間架(2)を、サービスタイプとして多分岐系を選択し、テーブルに登録している。
【００２９】
図１１は、本発明における集計方法（直収サービスの場合）の説明図である。
(ii)在庫設備のカウント(直収方式の場合)
直収方式サービスの場合における在庫設備量のカウント方法としては、所外側ノード内の任意の端子と所内側ノード側に敷設されている所内ケーブルの接続済み端子もしくは未接続端子との間で仮選定を実施することでカウントする。両端の点で仮選定を実施し、開通可能設備量をカウントし、算出された設備量を対象ルート内の在庫設備量としてカウントすることが可能となる。
図１１においては、上段の直収方式の現状に対して、仮選定を実施することにより、所所内側ノード接続済みの成功ルート数が３つ、所内側ノード未接続の成功ルート数が１つあり、それを登録した在庫集計テーブルにより、実際に成功ルート(1)〜(4)をケーブル１とケーブル２を用いて完成させると、下段の図のようになる。中間架(1)では、番号２，３，１，５の端子が使用される。
【００３０】
図１２は、本発明における集計方法（多分岐サービスの場合）の説明図である。
(iii)在庫設備のカウント(多分岐方式の場合)
多分岐方式サービスの場合における在庫設備量のカウント方法としては、直収方式と同様に、ルート内の仮選定を実施することで在庫設備量をカウントする。この際に、分岐機器の入力側までに共用しているケーブル心線は分岐機器の出力端子が全て使用されるまでは在庫設備とし、仮選定が一度成功したとしても、該当する分岐機器の入力側のポートより上部側の設備は非在庫設備とはならず、分岐機器の出力側端子が全て使用済みになるまでは仮選定が続行される。
図１２においては、上段の多分岐方式の現状に対して、仮選定を実施することにより、所内側ノード接続済みの成功ルート数が３つ、所内側ノード未接続の成功ルート数が４つあり、それを登録した在庫集計テーブルにより、実際に成功ルート(1)〜(7)をケーブル３とケーブル４を用いて完成させると、下段の図のようになる。中間架（2)では、番号２〜４、５〜８の７端子が使用されている。
なお、上記(ｉ),(ii),(iii)の工程を踏まえ、集計された在庫設備量は在庫集計テーブルに書き込まれ設定したルート間の在庫量として保存されるものである。
【００３１】
(ＤＢ構成）
図１３は、本発明のＤＢ（データベース）の構成図である。
本発明におけるＤＢ構成としては、所内配線設備ＤＢ８０３と在庫管理ＤＢ８０２と在庫管理ＤＢ８０２内に保持される在庫集計テーブル８０４および集計対象テーブル８０５と、これらのＤＢ８０２，８０３を制御する制御部８０１とから構成される。
所内配線設備ＤＢ８０３においては、通信媒体の基本情報を記憶・管理する機能を有する。また、在庫管理ＤＢ８０２においては、集計対象テーブル８０５や在庫集計テーブル８０４を保持し、所内配線設備ＤＢ８０３の構成が、日々の開通工事に伴って変動する毎に在庫管理ＤＢ８０２の情報も更新される関係を維持する。
【実施例】
【００３２】
媒体在庫管理に関するさらに詳細な実施例を、以下に説明する。
（集計対象テーブルの設定）
在庫管理を実施するに際して、在庫をカウントする対象となるルートおよびサービスを設定する。その際に、図１０に示す集計対象テーブルを設定する例を記す。
・設備構成
所外側ノード：成端架(1)
中継ノード  ：中間架(1)、中間架(2)
所内側ノード：装置(1)
ケーブル(1)：成端架(1)←→中間架(1)
ケーブル(2)：中間架(1)←→装置(1)
ケーブル(3)：成端架(1)←→中間架(2)
ケーブル(4)：中間架(2)←→装置(1)
【００３３】
・ルート設定
ルート(1)：成端架(1)←→ケーブル(1)←→中間架(1)ケーブル(2)←→装置(1)
ルート(2)：成端架(1)←→ケーブル(3)←→中間架(2)ケーブル(4)←→装置(1)
・サービス設定
ルート(1)：直収系サービス
ルート(2)：多分岐系サービス
上記のような設定を実施することで、ルート(1)において直収系サービスの在庫を、ルート(2)において多分岐系サービスの在庫を集計対象と設定することが可能になる。
【００３４】
(在庫集計テーブルの更新（直収方式））
以下、図１１により、直収方式のサービスの在庫管理を実施するに当たり、在庫をカウントし、取得した在庫量を在庫集計テーブルに投入する例を以下に記す。
ＳＴＥＰ１
所内側ノードである装置(1)内の接続済み端子1を取得し、次に所外側ノードである成端架(1)内の任意の端子を取得する。取得した両端で直収系サービスでの仮選定を実施する。この際に、装置(1)内の接続済み端子1は既に成端架(1)内の端子と接続済みであるため、選定は失敗する。
ＳＴＥＰ２
選定が失敗したことにより、装置(1)内の次の接続済み端子2を取得し、ＳＴＥＰ１にて取得した成端架(1)内の任意の端子と仮選定を実施する。その際に、成功した選定ルートを成功ルート(1)として保存する。
【００３５】
ＳＴＥＰ３
同様に、装置(1)内の接続済み端子全てを順に仮選定を実施し、選定が成功したルートを成功ルートとして保存していく。次に、装置(1)内での全ての接続済み端子を取得したため、取得失敗した場合には、装置(1)側に接続されているケーブル2の中で、未接続状態の心線5を取得する。取得した心線5と成端架(1)内の任意の端子との間で仮選定を実施し、選定が成功した場合には成功ルートとして保存する。
ＳＴＥＰ４
上記のＳＴＥＰ１〜３において取得した成功ルートを、所内側ノード端子と接続済みでの成功ルートと、所内側ノードと未接続での成功ルートとに分けてカウントする。この場合、装置(1)内の接続済み端子と成端架(1)内の任意の端子にて仮選定が成功したルート数が成功ルート(1)〜(3)の３ルートであり、装置(1)と未接続であるが成端架(1)内の任意の端子と仮選定が成功したルート数が成功ルート(4)のみの１ルートであることから、該当するルート間およびサービスでの在庫設備量は、
成功ルート数（所内側ノード接続済）：３
成功ルート数（所内側ノード未接続）：１
となる。
この結果の解釈としては、装置(1)内の搭載ＰＫＧが持つ端子において選定が成功するルート数は３であり、装置(1)内に搭載されているＰＫＧがあるか否かは別にして、ＰＫＧを搭載すれば選定が成功するというルート数が１であることを意味する。なお、成端架（1)内の空き端子数は、成功ルート数以上存在することが前提とする。
【００３６】
（在庫集計テーブルの更新（多分岐方式））
以下、図１２により、多分岐方式のサービスの在庫管理を実施するに当たり、在庫をカウントし、取得した在庫量を在庫集計テーブルに投入する例を記す。
ＳＴＥＰ１
所内側ノードである装置(1)内の接続済み端子1を取得し、次に所外側ノードである成端架(1)内の任意の端子を取得する。
取得した両端で多分岐移サービスでの仮選定を実施する。この際に、装置(1)内の接続済み端子1は既に成端架(1)内の端子と接続済みであるため、選定は失敗する。
ＳＴＥＰ２
選定が失敗したことにより、ルート内に存在する分岐機器内の出力端子数のうち、仮選定を実施した総数をカウントする。その際に、未だ仮選定を未実施な出力端子（２〜４）が存在するため、同じ装置(1)内の接続済み端子1および所外側ノードである成端架(1)内の任意の端子間で選定を実施する。その際に、仮選定実施済みのフラグが立っている設備は候補外となる。このようにして、仮選定が成功したルートは成功ルートとして保存する。
【００３７】
ＳＴＥＰ３
分岐機器内の全ての出力端子（１〜４）での仮選定を実施した場合、仮選定を実施できる出力端子が存在しないことから、次の装置(1)内の接続済み端子を取得する。しかし、このケースでは、装置(1)内に接続済み端子は1端子のみであるため、取得に失敗する。そこで、装置(1)内の端子と接続可能なケーブル４内の未接続端子を取得し、同様に仮選定を実施する。この場合、ルート内に未接続な分岐機器内の出力端子５番を経由して仮選定が成功する。このケースでも同様に出力端子５番に仮選定実施済みのフラグを追加し、該当する分岐機器内に仮選定未実施の出力端子が存在することから、全ての出力端子の仮選定を実施するまで続けられる。
【００３８】
ＳＴＥＰ４
上記ＳＴＥＰ１〜３において取得した成功ルートを、所内側ノード端子と接続済みでの成功ルートと、所内側ノードと未接続での成功ルートとに分けてカウントする。この場合、装置(1)内の接続済み端子と成端架(1)内の任意の端子にて仮選定が成功したルート数が成功ルート(1)〜(3)の３ルートであり、装置(1)と未接続であるが成端架(1)内の任意の端子と仮選定が成功したルート数が成功ルート(4)のみの１ルートであることから、該当するルート間およびサービスでの在庫設備量は、
成功ルート数（所内側ノード接続済）：３
成功ルート数（所内側ノード未接続）：４
となる。
この結果の解釈としては、装置(1)内の搭載ＰＫＧが持つ端子において選定が成功するルート数は３であり、装置(1)内に搭載されているＰＫＧがあるか否かは別にして、ＰＫＧを搭載すれば選定が成功するというルート数が１であることを意味する。なお、成端架(1)内の空き端子数は、成功ルート数以上存在することが前提となる。
【００３９】
(応用例)
以上のように、通信局内における在庫設備量を、ルート間で開通可能な設備の総量として定義し、リアルタイムでの管理を実施することにより、空きの定義を明確にした在庫管理を実施することが可能になる。本発明により、選定処理を実施する前に既に空き設備を把握しておくことで、開通可能の可否について瞬時に判断することが可能となり、今まで選定の都度膨大な処理を要していた稼動を削減することが可能となる。
最終的に、本発明は、通信局内における設備選定を高速化し、かつ在庫管理を効率化する媒体在庫管理方法であって、まず集計対象となるルートおよびサービスを特定することにより在庫管理を行う対象を明確にしている。次に、対象となるルート間で必要なサービスでの仮選定を実施することで、開通可能な設備量を算出し、在庫量として定義することで、設備管理者にとって在庫管理の明確化が可能となる。
【００４０】
(プログラムと記録媒体)
なお、図４の在庫量決定の手順、図５．１の在庫量集計（直収方式）の手順、図５．２の在庫量集計（多分岐方式）の手順、図６の成功ルートを在庫として定義する手順、図１１、図１２による集計方法の手順などをプログラム化し、ＣＤ−ＲＯＭなどの記録媒体に格納しておけば、これらのプログラムの貸与、売買に便利であり、また、媒体在庫管理装置を構成する処理部のコンピュータに装着して、プログラムをインストールし、これを実行することで、本発明を容易に実現することができる。
【図面の簡単な説明】
【００４１】
【図１】本発明の一実施例を示す媒体在庫管理装置のブロック構成図である。
【図２】図１における集計対象決定部のブロック構成図である。
【図３】図１における在庫量集計部のブロック構成図である。
【図４】本発明の一実施例を示す在庫量決定の処理フローチャートである。
【図５．１】本発明の一実施例を示す在庫量集計（直収方式）の処理フローチャートである。
【図５．２】本発明の一実施例を示す在庫量集計（多分岐方式）の処理フローチャートである。
【図６】本発明による成功ルートを在庫として定義する処理フローチャートである。
【図７】通信サービスの種類の説明図である。
【図８】所内配線設備における在庫量の特色(1)を示す説明図である。
【図９】所内配線設備における在庫量の特色(2)を示す説明図である。
【図１０】在庫の集計方法の説明図である。
【図１１】本発明の一実施例を示す集計方法（直収サービスの場合）の説明図である。
【図１２】本発明の一実施例を示す集計方法（多分岐サービスの場合）の説明図である。
【図１３】本発明の一実施例を示すＤＢ構成のブロック図である。
【符号の説明】
【００４２】
１０１…通信媒体基本情報記憶部、１０２…在庫量集計部、１０３…在庫情報記憶部、
１０４…集計対象決定部、１０５…コマンド処理部、１０６…出力部、
１０７…入力部、１０８…入出力インタフェース部、１０９…入出力装置、
２００…入力部、２０１…所外側ノード決定部、２０２…所内側ノード決定部、
２０３…中継ノード決定部、２０４…サービスタイプ決定部、２０５…記憶部、
３００…入力部、３０１…設備情報取得部、３０２…仮想選定処理部、
３０３…在庫設備決定部、３０４…在庫量集計処理部、３０５…記憶部、
８０１…制御部、８０２…在庫管理ＤＢ、８０３…所内配線設備ＤＢ、
８０４…在庫集計テーブル、８０５…集計対象テーブル。
【図１】
2005148966.tif 000003
【図２】
2005148966.tif 000004
【図３】
2005148966.tif 000005
【図４】
2005148966.tif 000006
【図５．１】
2005148966.tif 000007
【図５．２】
2005148966.tif 000008
【図６】
2005148966.tif 000009
【図７】
2005148966.tif 000010
【図８】
2005148966.tif 000011
【図９】
2005148966.tif 000012
【図１０】
2005148966.tif 000013
【図１１】
2005148966.tif 000014
【図１２】
2005148966.tif 000015
【図１３】
2005148966.tif 000016